(57)【特許請求の範囲】
【請求項１】
第一草刈装置と、
前記第一草刈装置の横側方に配置され、前記第一草刈装置の前後向きの前後軸心周りに揺動可能な第二草刈装置と、
前記第二草刈装置の刈刃の回転軌跡の外側に位置し、接地して前記第二草刈装置の刈高さを定め、走行に伴い横向きの回動軸心周りに地面を転動可能なゲージ輪と、
前記ゲージ輪の横側部の近傍に配置され、前記ゲージ輪に連れ回る刈草を掻き落とすスクレーパと、が備えられており、
前記スクレーパの上部に、前記ゲージ輪の後端部の上方箇所まで後向きに延出される後向き部が備えられており、
前記スクレーパは、前記後向き部に接続すると共に前記ゲージ輪に連れ回る刈草を掻き落とす掻き落とし部を有しており、
前記第二草刈装置に、前記刈刃の上方を覆うハウジングが備えられ、
前記ゲージ輪が、前記ハウジングよりも前方に配置されており、
前記ハウジングの前方に、棒状のガード部材が備えられ、
前記ガード部材が、前記スクレーパの後方に近接するように配置されており、
前記後向き部は、前記掻き落とし部により掻き落とされた刈草を前記ガード部材へ向けて案内するように構成されている歩行型草刈機。
【請求項２】
第一草刈装置と、
前記第一草刈装置の横側方に配置され、前記第一草刈装置の前後向きの前後軸心周りに揺動可能な第二草刈装置と、
前記第二草刈装置の刈刃の回転軌跡の外側に位置し、接地して前記第二草刈装置の刈高さを定め、走行に伴い横向きの回動軸心周りに地面を転動可能なゲージ輪と、
前記ゲージ輪の横側部の近傍に配置され、前記ゲージ輪に連れ回る刈草を掻き落とすスクレーパと、が備えられており、
前記スクレーパの上部に、前記ゲージ輪の後端部の上方箇所まで後向きに延出される後向き部が備えられており、
前記後向き部の前端部と前記回動軸心との間の距離は、前記後向き部の後端部と前記回動軸心との間の距離よりも短い歩行型草刈機。
【請求項３】
前記スクレーパにおける前記ゲージ輪よりも上側の部分は、平面視において、前記ゲージ輪と重複しない請求項２に記載の歩行型草刈機。
【請求項４】
前記第二草刈装置に、前記刈刃の上方を覆うハウジングが備えられ、
前記ゲージ輪が、前記ハウジングよりも前方に配置されている請求項２または３に記載の歩行型草刈機。
【請求項５】
前記ハウジングの前方に、棒状のガード部材が備えられ、
前記ガード部材が、前記スクレーパの後方に近接するように配置されている請求項４に記載の歩行型草刈機。
【請求項６】
前記スクレーパが、側面視で前記ゲージ輪と重複する箇所から前記ゲージ輪と重複しない箇所まで前記ゲージ輪の回転面に沿って延出されている請求項１〜５のいずれか一項に記載の歩行型草刈機。
【請求項７】
前記ゲージ輪の外周部に、前記ゲージ輪の周方向に並ぶ凸部が備えられ、
前記スクレーパが、前記凸部の近傍に位置している請求項１〜６のいずれか一項に記載の歩行型草刈機。
【請求項８】
前記第二草刈装置の横向きの支持軸心周りに揺動可能な揺動可能状態と、揺動不能な位置固定状態と、に切り換え操作可能な操作部材が備えられ、
前記ゲージ輪が、前記操作部材の前端部に前記回動軸心周りに回動自在に支持され、
前記スクレーパが、前記操作部材に固定されている請求項１〜７のいずれか一項に記載の歩行型草刈機。
【請求項９】
前記操作部材に設けられる操作部が、前記第二草刈装置の後側まで延びている請求項８に記載の歩行型草刈機。
【発明の詳細な説明】
【技術分野】
【０００１】
本発明は、第一草刈装置と、第一草刈装置の横側方に配置され、第一草刈装置の前後向きの前後軸心周りに揺動可能な第二草刈装置と、が備えられている歩行型草刈機に関する。
【背景技術】
【０００２】
従来の歩行型草刈機が、例えば、特許文献１に記載されている。この歩行型草刈機には、第二草刈装置の刈刃（特許文献１では「回転刃」）の回転軌跡外側に位置し、接地して第二草刈装置の刈高さを定め、走行に伴い横向きの回動軸心周りに地面を転動可能なゲージ輪（特許文献１では「車輪」）が備えられている。
【先行技術文献】
【特許文献】
【０００３】
【特許文献１】特開２００９−１８３１７０号公報（図１〜図５等）
【発明の概要】
【発明が解決しようとする課題】
【０００４】
しかし、従来の技術では、第二草刈装置の刈刃により跳ね飛ばされた刈草が、刈刃の回転軌跡の外側に位置するゲージ輪に付着して、ゲージ輪に刈草が連れ回る場合があった。そのような場合、ゲージ輪により定められる第二草刈装置の刈高さが変化したり、走行不良が生じたりするおそれがあった。
【０００５】
そこで、本発明は、第二草刈装置のゲージ輪に刈草の付着が生じにくく、第二草刈装置の刈高さの変化や走行不良が生じにくい歩行型草刈機を提供することを目的としたものである。
【課題を解決するための手段】
【０００６】
本発明の歩行型草刈機のうちの１つは、
第一草刈装置と、
前記第一草刈装置の横側方に配置され、前記第一草刈装置の前後向きの前後軸心周りに揺動可能な第二草刈装置と、
前記第二草刈装置の刈刃の回転軌跡の外側に位置し、接地して前記第二草刈装置の刈高さを定め、走行に伴い横向きの回動軸心周りに地面を転動可能なゲージ輪と、
前記ゲージ輪の横側部の近傍に配置され、前記ゲージ輪に連れ回る刈草を掻き落とすスクレーパと、が備えられており、
前記スクレーパの上部に、前記ゲージ輪の後端部の上方箇所まで後向きに延出される後向き部が備えられており、
前記スクレーパは、前記後向き部に接続すると共に前記ゲージ輪に連れ回る刈草を掻き落とす掻き落とし部を有しており、
前記第二草刈装置に、前記刈刃の上方を覆うハウジングが備えられ、
前記ゲージ輪が、前記ハウジングよりも前方に配置されており、
前記ハウジングの前方に、棒状のガード部材が備えられ、
前記ガード部材が、前記スクレーパの後方に近接するように配置されており、
前記後向き部は、前記掻き落とし部により掻き落とされた刈草を前記ガード部材へ向けて案内するように構成されているものである。
【０００７】
本発明によると、第一草刈装置と、地面の形状に合わせた所望の位置に揺動された第二草刈装置と、により地面の草を刈ることができる。第二草刈装置の刈高さは、ゲージ輪により定められる。第二草刈装置の刈刃を駆動すると、刈刃により刈られた刈草が、刈刃の回転軌跡の外側に跳ね飛ばされてゲージ輪に至り、ゲージ輪に刈草が付着する場合がある。しかし、走行に伴ってゲージ輪が地面を転動することにより、ゲージ輪に連れ回る刈草にスクレーパが作用して、ゲージ輪に連れ回る刈草をスクレーパで掻き落とすことができる。これにより、ゲージ輪に刈草が付着して蓄積することが防止され、第二草刈装置の刈高さが変化しにくいものとなり、ゲージ輪の転動が円滑に行われ、走行不良が生じにくいものとなる。
したがって、本発明によれば、第二草刈装置のゲージ輪に刈草の付着が生じにくく、第二草刈装置の刈高さの変化や走行不良が生じにくいものにできる。
また、本発明の歩行型草刈機のうちのもう１つは、
第一草刈装置と、
前記第一草刈装置の横側方に配置され、前記第一草刈装置の前後向きの前後軸心周りに揺動可能な第二草刈装置と、
前記第二草刈装置の刈刃の回転軌跡の外側に位置し、接地して前記第二草刈装置の刈高さを定め、走行に伴い横向きの回動軸心周りに地面を転動可能なゲージ輪と、
前記ゲージ輪の横側部の近傍に配置され、前記ゲージ輪に連れ回る刈草を掻き落とすスクレーパと、が備えられており、
前記スクレーパの上部に、前記ゲージ輪の後端部の上方箇所まで後向きに延出される後向き部が備えられており、
前記後向き部の前端部と前記回動軸心との間の距離は、前記後向き部の後端部と前記回動軸心との間の距離よりも短いものである。
上記構成において、前記スクレーパにおける前記ゲージ輪よりも上側の部分は、平面視において、前記ゲージ輪と重複しないと好適である。
【０００８】
上記構成において、
前記スクレーパが、側面視で前記ゲージ輪と重複する箇所から前記ゲージ輪と重複しない箇所まで前記ゲージ輪の回転面に沿って延出されていると好適である。
【０００９】
本構成によれば、ゲージ輪の転動によりスクレーパの作用でゲージ輪から刈草が掻き落とされる際に、スクレーパにおいて圧縮される刈草が、ゲージ輪の回転面に沿ってゲージ輪の外周部よりも外側まで導かれやすくなる。このため、スクレーパによりゲージ輪に付着した刈草を効率良く掻き落とすことができる。
【００１０】
上記構成において、
前記スクレーパの上部に、前記ゲージ輪の後端部の上方箇所まで後向きに延出される後向き部が備えられていると好適である。
【００１１】
本構成によれば、ゲージ輪から掻き落とされてスクレーパに蓄積してゆく刈草を、スクレーパの上部の後向き部により導いて、ゲージ輪の接地箇所よりも後方に落下させやすくなる。これにより、スクレーパでゲージ輪から掻き落とした刈草にゲージ輪が乗り上げることが少なくなり、第二草刈装置の刈高さが変化しにくいものとなる。
【００１２】
上記構成において、
前記第二草刈装置に、前記刈刃の上方を覆うハウジングが備えられ、
前記ゲージ輪が、前記ハウジングよりも前方に配置されていると好適である。
【００１３】
本構成によれば、ゲージ輪と刈刃とが前後方向に十分に離れているので、ゲージ輪で踏み付けた地面の草が、十分に起き上がってから刈刃で刈られるようになる。これにより、第二草刈装置による草の刈残しが生じにくくなる。
【００１４】
上記構成において、
前記ハウジングの前方に、棒状のガード部材が備えられ、
前記ガード部材が、前記スクレーパの後方に近接するように配置されていると好適である。
【００１５】
本構成によれば、第二草刈装置においてハウジング等を衝突から保護するガード部材は、棒状であるため、刈刃から跳ね飛ばされた刈草が付着する場合がある。スクレーパをガード部材に近接するように配置してあるので、ガード部材に付着した刈草を、スクレーパにより導かれるゲージ輪から掻き落とされた刈草に一緒に巻き込んで地面に落下させやすくなる。
【００１６】
上記構成において、
前記ゲージ輪の外周部に、前記ゲージ輪の周方向に並ぶ凸部が備えられ、
前記スクレーパが、前記凸部の近傍に位置していると好適である。
【００１７】
本構成によれば、例えば、第二草刈装置により斜面の草刈りを行う場合、ゲージ輪の凸部が地面に咬み込み、第二草刈装置の姿勢が安定しやすくなる。一方、ゲージ輪の凸部には、刈草の付着が生じやすくなる。このため、ゲージ輪の凸部の近傍にスクレーパを配置することにより、ゲージ輪に付着した刈草の掻き落としを効率良く行うことができる。
【００１８】
上記構成において、
前記第二草刈装置の横向きの支持軸心周りに揺動可能な揺動可能状態と、揺動不能な位置固定状態と、に切り換え操作可能な操作部材が備えられ、
前記ゲージ輪が、前記操作部材の前端部に前記回動軸心周りに回動自在に支持され、
前記スクレーパが、前記操作部材に固定されていると好適である。
【００１９】
本構成によれば、操作部材を揺動可能状態にすることにより、ゲージ輪の高さを変更して第二草刈装置の刈高さを変更できる。そして、操作部材を位置固定状態にすることにより、ゲージ輪の高さを固定して第二草刈装置の刈高さを所望の刈高さに定めることができる。ゲージ輪を支持するこのような操作部材に、ゲージ輪の刈草を掻き落とすスクレーパを固定しているため、第二草刈装置の刈高さに関わらず、ゲージ輪とスクレーパとが一定の位置関係に保たれ、スクレーパによるゲージ輪に付着した刈草の掻き落としを安定して行うことができる。
【００２０】
上記構成において、
前記操作部材に設けられる操作部が、前記第二草刈装置の後側まで延びていると好適である。
【００２１】
本構成によれば、例えば、走行機体を操縦するための操縦ハンドル側から第二草刈装置の後側に位置する操作部材の操作部へと手が届き易くなり、操縦者が操縦ハンドル側に居る状態で、操作部を操作して第二草刈装置の刈高さの調節を行うことが可能となる。
【図面の簡単な説明】
【００２２】
【図１】歩行型草刈機を示す右側面図である。
【図２】歩行型草刈機を示す上面図である。
【図３】第一草刈装置と第二草刈装置の伝動構造等の周辺を示す前面視の断面図である。
【図４】第二草刈装置の刈高さが最低高さにある場合を示し、ゲージ輪、及び、第一スクレーパ等の周辺を示す左側面図である。
【図５】第二草刈装置の刈高さが最高高さにある場合を示し、ゲージ輪、及び、第一スクレーパ等の周辺を示す左側面図である。
【図６】操作部材の操作部の構造を説明する左側面図である。
【図７】ゲージ輪を部分的に断面で示す前面視の断面図である
【図８】別実施形態における第一スクレーパの周辺を示す前面図である。
【発明を実施するための形態】
【００２３】
以下、本発明の実施形態の一例を、図面に基づいて説明する。なお、本実施形態では、「前」は図２に示す矢印Ｆの向き、「後」は図２に示す矢印Ｂの向き、「左」は図２に示す矢印Ｌの向き、「右」は図２に示す矢印Ｒの向き、として説明する。
【００２４】
図１、図２等に示される歩行型草刈機には、単一の前車輪１０と単一の後車輪１１とで走行する走行機体が備えられている。また、走行機体には、機体横幅方向並びに機体前後方向に所定の幅を有する上面視で矩形状に構成されている機体フレーム１２が備えられている。
【００２５】
図１、図２に示されるように、機体フレーム１２には、エンジン１３、操縦ハンドル１４、エンジン１３に燃料を供給する燃料タンク１５、エンジン１３の排気を外部へ向けて導くマフラ１６、前車輪１０を揺動可能に支持する前輪伝動ケース１７、後車輪１１を支持する後輪伝動ケース１８等が支持されている。
【００２６】
また、図１〜図５に示されるように、走行機体には、地面の草を刈ることが可能な第一草刈装置Ｋ１と、第一草刈装置Ｋ１が草刈りを行う地面の横側方側の地面の草を刈ることが可能な第二草刈装置Ｋ２と、が、備えられている。
【００２７】
歩行型草刈機は、エンジン１３からの駆動力により、前車輪１０と後車輪１１とを駆動して走行機体を走行させながら、第一草刈装置Ｋ１と第二草刈装置Ｋ２とを駆動して、地面の草刈りを行うことが可能となっている。
【００２８】
〔前車輪と後車輪について〕
図１、図２に示されるように、前車輪１０は、第一草刈装置Ｋ１の前部側の箇所に配置されている。前車輪１０は、エンジン１３の駆動力に基づいて駆動される駆動輪となっている。また、前車輪１０は、操向輪となっている。後車輪１１は、第一草刈装置Ｋ１の後部側の箇所に配置されている。後車輪１１は、エンジン１３の駆動力に基づいて駆動される駆動輪となっている。前後方向における前車輪１０と後車輪１１との間に、エンジン１３が配置されている。前車輪１０、及び、後車輪１１は、走行機体の左右幅方向の略中央位置に備えられている。このため、例えば、圃場の畦等の細い箇所であっても、走行しやすく草刈り作業が行い易いものとなっている。
【００２９】
〔第一草刈装置について〕
図１、図２に示されるように、第一草刈装置Ｋ１は、機体フレーム１２に支持されている。第一草刈装置Ｋ１には、エンジン１３からの駆動力に基づいて回転駆動可能な第一刈刃１９と、第一刈刃１９の上方を覆う第一ハウジング２０と、第一刈刃１９の対地高さを変更して第一草刈装置Ｋ１の刈高さを変更可能な第一刈高さ調節機構２１と、が備えられている。
【００３０】
図１、図３に示されるように、第一ハウジング２０は、機体フレーム１２の下部に固定されている。第一刈刃１９は、第一ハウジング２０の内部下側に配置されている。第一刈刃１９は、上下二枚刃の仕様となっている。
【００３１】
図１、図２に示されるように、前輪伝動ケース１７は、機体フレーム１２の前部位置に前揺動軸心Ｑ１を中心にして揺動自在に支持されている。第一草刈装置Ｋ１の刈高さは、前輪伝動ケース１７の揺動姿勢を変更することにより調節可能となっており、これにより、第一草刈装置Ｋ１の第一刈高さ調節機構２１が構成されている。
【００３２】
〔第二草刈装置について〕
図２〜図５に示されるように、第二草刈装置Ｋ２は、第一草刈装置Ｋ１に支持されている。第二草刈装置Ｋ２には、エンジン１３からの駆動力に基づいて回転駆動可能な第二刈刃２２（「刈刃」に相当）と、第二刈刃２２の上方を覆う第二ハウジング２３（「ハウジング」に相当）と、棒状のガード部材２４と、第二刈刃２２の対地高さを変更して第二草刈装置Ｋ２の刈高さを変更可能な第二刈高さ調節機構２５と、が備えられている。
【００３３】
図３等に示されるように、第二ハウジング２３は、ヒンジ部材２６を介して、前後軸心Ｐを中心にして揺動可能に第一ハウジング２０に支持されている。第二ハウジング２３は、機体フレーム１２、及び、第一ハウジング２０の横側部側に配置されている。第二ハウジング２３の内部下側に、第二刈刃２２が配置されている。第二刈刃２２は、上下二枚刃の仕様となっている。
【００３４】
図２、図４、図５に示されるように、第二ハウジング２３の下部には、第二刈刃２２の前方側に位置する複数の可撓性を有する前カバー２７と、第二刈刃２２の後方側に位置する複数の後カバー２８と、が取り付けられている。
【００３５】
〔ガード部材について〕
図２、図４、図５に示されるように、棒状のガード部材２４は、第二ハウジング２３の前方に備えられている。ガード部材２４は、第二ハウジング２３を保護するフロントバンパとして機能する。ガード部材２４は、第二ハウジング２３に固定されている。第二ハウジング２３とガード部材２４との間には、空間が設けられている。ガード部材２４は、第二ハウジング２３との間に空間を設けるように、屈曲されている。ガード部材２４には、第二ハウジング２３の左右内端部から前方に向けて延びる前向き部２９と、前向き部２９の前端部に接続されて左右方向に延びる横部３０と、横部３０の左右外端部から斜め後方に屈曲されて斜めに延びる傾斜部３１と、傾斜部３１の左右外端部から後方に延びる取付部３２と、が備えられている。取付部３２は、第二ハウジング２３の外端部に取り付けられている。
【００３６】
〔第一草刈装置の第一刈刃と第二草刈装置の第二刈刃との関係について〕
図２に示されるように、第一草刈装置Ｋ１の第一刈刃１９は、前部において右側に向かい、後部において左側に向かう方向（上面視で時計回り方向の第一回転方向Ｒ１）に回転するようになっている。一方、第二草刈装置Ｋ２の第二刈刃２２は、前部において左側に向かい、後部において右側に向かう方向（上面視で反時計周り方向の第二回転方向Ｒ２）に回転するようになっている。つまり、第一草刈装置Ｋ１と第二草刈装置Ｋ２とは前方に向けて刈草を跳ね飛ばすようになっている。
【００３７】
また、図２に示されるように、第一草刈装置Ｋ１の第一刈刃１９が回転する第一回転軌跡Ｔ１と、第二草刈装置Ｋ２の第二刈刃２２が回転する第二回転軌跡Ｔ２（「回転軌跡」に相当）と、は重なり合う位置関係となっている。しかし、第一刈刃１９の回転位相と、第二刈刃２２の回転位相と、を互いに９０度ずらしてあるので、第一刈刃１９と第二刈刃２２とが互いに接触せずに回転するようになっている。
【００３８】
〔第一草刈装置に対する第二草刈装置の連結角度変更について〕
図２、図３に示されるように、第二草刈装置Ｋ２は、第一草刈装置Ｋ１の横側方に配置されている。第二草刈装置Ｋ２は、ヒンジ部材２６を介して、第一草刈装置Ｋ１に連結されている。第二草刈装置Ｋ２は、第一草刈装置Ｋ１の前後向きの前後軸心Ｐ（ヒンジ部材２６の中心）周りに上下方向に揺動可能となっている。第二草刈装置Ｋ２を第一草刈装置Ｋ１に対して前後軸心Ｐ周りに揺動することにより、第一草刈装置Ｋ１に対する第二草刈装置Ｋ２の連結角度を調節できる。
【００３９】
特に図示はしないが、第一草刈装置Ｋ１と第二草刈装置Ｋ２との連結角度を１８０度に調節する（第一草刈装置Ｋ１の刈取面と第二草刈装置Ｋ２の刈取面とを平行状態にする）と、第一草刈装置Ｋ１と第二草刈装置Ｋ２とにより、例えば水平状の第一面の地面の草刈りを左右幅広くして行うことができる。
【００４０】
一方、図３に示されるように、第一草刈装置Ｋ１と第二草刈装置Ｋ２との連結角度を１８０度未満に調節する（第一草刈装置Ｋ１の刈取面と第二草刈装置Ｋ２の刈取面とを非平行状態にする）と、第一草刈装置Ｋ１により第一面の草刈りを行い、且つ、第二草刈装置Ｋ２により、第一面の下方に位置し、第一面から離れるにつれて下方に位置するように傾斜した第二面（法面）の草刈りを行うことができる。
【００４１】
これにより、例えば、歩行型草刈機により、畦畔等における草刈りを効率良く行うことができる。
【００４２】
〔伝動系について〕
図１、図２に示されるように、エンジン１３の出力軸３３から出力される駆動力は、出力軸３３に備えられた第一出力プーリ３４から走行伝動系に伝達され、出力軸３３に備えられた第二出力プーリ３５から作業伝動系に伝達されるようになっている。
【００４３】
〔走行伝動系について〕
第一出力プーリ３４からは、第一入力軸３６に備えられた第一入力プーリ３７に、無端ベルトで構成された第一伝動ベルト３８を介して、動力が伝達される。第一入力軸３６には、第一入力スプロケット（図示なし）が備えられており、第一入力スプロケット（図示なし）からは、後輪駆動軸４０に備えられた第一出力スプロケット（図示なし）に、無端チェーンで構成される第一伝動チェーン（図示なし）を介して、後輪駆動軸４０に動力が伝達される。後輪駆動軸４０の駆動により、後車輪１１が駆動される。
【００４４】
一方、第一入力軸３６から出力される駆動力は、中間出力軸４３にも伝達されるようになっている。中間出力軸４３に備えられた第二入力スプロケット４４からは、第二入力軸４５に備えられた第二出力スプロケット４６に、無端チェーンで構成される第二伝動チェーン４７を介して、駆動力が伝達されるようになっている。第二入力軸４５から出力される駆動力は、第二入力軸４５に備えられた第三入力スプロケット（図示なし）から、前輪駆動軸４９に備えられた第三出力スプロケット（図示なし）に、無端チェーンで構成される第三伝動チェーン（図示なし）を介して、伝達されるようになっている。前輪駆動軸４９の駆動により、前車輪１０が駆動される。
【００４５】
なお、第一入力軸３６と同軸芯上に、エンジン１３から前車輪１０及び後車輪１１に向かう駆動力の断続を行う走行クラッチ機構（図示なし）が備えられている。走行クラッチ機構を入り状態に操作することにより、エンジン１３の駆動力により、前車輪１０及び後車輪１１に動力を伝達可能な状態となる。一方、走行クラッチ機構を切り状態に操作することにより、エンジン１３から前車輪１０及び後車輪１１に向かう動力の伝達が遮断された状態となる。
【００４６】
〔作業伝動系について〕
図１、図２に示されるように、エンジン１３側の第二出力プーリ３５からは、伝動駆動軸５３に備えられた第二入力プーリ５４に、第二伝動ベルト５５を介して、動力が伝達される。
【００４７】
図３に示されるように、第一ハウジング２０の上部位置には、第一ギヤケース５６が配置されている。伝動駆動軸５３は、第一ギヤケース５６に左右向きに突出する状態で回動自在に支持されている。
【００４８】
第一ギヤケース５６には、一体的に設けられる第一下部ケース５７が、機体フレーム１２、及び、第一ハウジング２０に対して上下に貫通する状態で備えられている。第一下部ケース５７には、縦向き姿勢の第一駆動軸心Ｘ１を中心にして回転自在に第一駆動軸５８が備えられている。第一駆動軸５８の下部に、第一刈刃１９が取り付けられている。第一刈刃１９の近傍には、刈草等が第一駆動軸５８に巻き付くことを防止する第一巻付き防止コーン５９が備えられている。
【００４９】
伝動駆動軸５３に備えられた第一駆動ベベルギア６０と、第一駆動軸５８に備えられた第一従動ベベルギア６１と、が連動連結されている。つまり、伝動駆動軸５３に伝わる駆動力により、第一駆動ベベルギア６０、第一従動ベベルギア６１、及び、第一駆動軸５８が一体的に回転駆動され、第一刈刃１９が回転駆動される。
【００５０】
一方、第二ハウジング２３の上部位置には、第二ギヤケース６２が配置されている。第二ギヤケース６２の内部には、第二ハウジング２３の上面に沿う状態で回動自在に従動軸６３が支持されている。伝動駆動軸５３は、第二入力プーリ５４の配設側とは反対側に、第一ギヤケース５６から突出されている。伝動駆動軸５３における第二入力プーリ５４とは反対側の突出部と従動軸６３との間は、一対のユニバーサルジョイント６４及び伸縮自在な中間伝動軸６５を介して連動連結されている。中間伝動軸６５は、外軸の内部に内軸を内嵌した構造となっている。中間伝動軸６５の内嵌部分にスプラインや角軸等を用いることで、中間伝動軸６５は、トルク伝動自在で軸心方向に相対移動する形態で伸縮自在に構成されている。一対のユニバーサルジョイント６４と中間伝動軸６５とは、蛇腹状の被覆ブーツ６６により覆われている。
【００５１】
第二ギヤケース６２には、一体的に設けられる第二下部ケース６７が、第二ハウジング２３に対して上下に貫通する状態で備えられている。第二下部ケース６７には、縦向き姿勢の第二駆動軸６８と、が第二駆動軸心Ｘ２上に配置されている。第二駆動軸６８の下部に、第二刈刃２２が取り付けられている。第二刈刃２２の近傍には、刈草等が第二駆動軸６８に巻き付くことを防止する第二巻付き防止コーン６９が備えられている。
【００５２】
従動軸６３に備えられた第二駆動ベベルギア７０と、第二駆動軸６８に備えられた第二従動ベベルギア７１と、は連動連結されている。従動軸６３に伝わる駆動力により、第二駆動軸６８が駆動されて、第二刈刃２２が回転駆動される。
【００５３】
なお、第二伝動ベルト５５には、エンジン１３から第一刈刃１９及び第二刈刃２２に向かう駆動力の断続を行う作業クラッチ機構が備えられている。作業クラッチ機構としては、第二伝動ベルト５５に張力を作用させるテンションプーリ７２が備えられている。テンションプーリ７２を支持するテンションアームの揺動操作により、第二伝動ベルト５５の駆動力の断続を行うことが可能となっている。作業クラッチ機構を入り状態に操作することにより、エンジン１３の駆動力により、第一刈刃１９及び第二刈刃２２に動力を伝達可能な状態となる。一方、作業クラッチ機構を切り状態に操作することにより、エンジン１３から第一刈刃１９及び第二刈刃２２に向かう動力の伝達が遮断された状態となる。
【００５４】
〔操縦ハンドルについて〕
図１、図２に示されるように、第一ハウジング２０の後部には、後部フレームが支持されている。後部フレームの後端部から、左右一対の操縦ハンドル１４が斜め後ろ上がりに延出されている。
【００５５】
操縦ハンドル１４は、走行機体の後部位置から後方に向けて延出されている。操縦ハンドル１４は、第一草刈装置Ｋ１の後方に位置している。操縦ハンドル１４には、左右両側の丸パイプ材からなる左右一対のハンドル杆７４が備えられている。左右のハンドル杆７４の機体前部側の端部は、それぞれ、斜め前下方側に向けて延びるハンドル基端部７５に接続されている。ハンドル基端部７５は、機体フレーム１２に支持されている。左右のハンドル杆７４の前後中途部は、左右中央部が前方に凸となるように屈曲された棒状の連結杆７６により連結されている。
【００５６】
左右のハンドル杆７４の後端部には、それぞれ、操縦者が手で握り操作するためのグリップ部７７が備えられている。左右のハンドル杆７４は、後方から前方に向かうにつれて互いに左右方向の離間距離が離れるように、略Ｖ字状に配置されている。また、ハンドル杆７４の前端部は、ハンドル基端部７５に対してハンドル軸心Ｑ２周りで角度変更調節可能に、且つ、ノブ付きボルト７８により締め付けて角度固定可能に構成されている。
【００５７】
左の操縦ハンドル１４のグリップ部７７の下部に備えられた走行クラッチレバー（図示せず）の操作により、走行クラッチ機構の入り切り操作が可能となっている。右の操縦ハンドル１４のグリップ部７７の近傍に備えられた刈取クラッチレバー７９の操作により、刈取クラッチ機構の入り切り操作が可能となっている。
【００５８】
〔第二刈高さ調節機構について〕
図１、図５等に示されるように、第二草刈装置Ｋ２の第二刈高さ調節機構２５には、前後方向に沿って延びる筒状の操作部材８０、操作部材８０の前端部に支持されるゲージ輪８１、操作部材８０に設けられた操作部８２等が備えられている。ゲージ輪８１の近傍には、第一スクレーパ８３（「スクレーパ」の一例）、第二スクレーパ８４（「スクレーパ」の一例）、第三スクレーパ８５（「スクレーパ」の一例）が備えられている。
【００５９】
〔操作部材について〕
図４、図５等に示されるように、操作部材８０は、前後方向に沿って延びる杆状部材となっている。操作部材８０の前部には、下方向きに折れ曲がる前下部８６が設けられている。操作部材８０は、ガード部材２４と第二ハウジング２３との間を通るように配置されている。操作部材８０の前下部８６は、第二ハウジング２３の傾斜部３１の下方を通過するようになっている。
【００６０】
図３〜図５から理解されるように、操作部材８０は、第二草刈装置Ｋ２の第二ハウジング２３上の横向きの支持軸心Ｑ３周りに揺動可能な揺動可能状態と、揺動不能な位置固定状態と、に切り換え操作可能に構成されている。操作部材８０の後端部に設けられる操作部８２は、第二草刈装置Ｋ２の後側まで延びている。
【００６１】
図４、図５に示されるように、第二ハウジング２３上に固定される支持ブラケット８７に操作部材８０を左右方向に沿った支持軸心Ｑ３周りに支持する揺動支軸８８は、第二ギヤケース６２の前方に位置している。また、揺動支軸８８は、第二ギヤケース６２よりも横外側に位置している。
【００６２】
〔ゲージ輪について〕
図２〜図５、図７に示されるように、ゲージ輪８１は、操作部材８０の前端部に回動軸心Ｑ４周りに回動自在に片持ち状に支持されている。ゲージ輪８１は、操作部材８０に固定される回動支軸８９、筒状の支持部材９０、を介して、操作部材８０に支持されている。ゲージ輪８１は、支持部材９０に固定されている。支持部材９０は、一対のベアリング９１を介して、回動支軸８９に挿通支持され、回動軸心Ｑ４周りに回動自在に支持されている。ゲージ輪８１は、接地して第二草刈装置Ｋ２の刈高さを定めるようになっている。図２、図４、図５等に示されるように、ゲージ輪８１は、第二草刈装置Ｋ２の第二刈刃２２の第二回転軌跡Ｔ２の前外側に位置している。ゲージ輪８１は、第二ハウジング２３よりも前方に配置されている。ゲージ輪８１は、走行に伴い横向きの回動軸心Ｑ４周りに地面を転動可能に構成されている。図１に示されるように、ゲージ輪８１の接地箇所は、前車輪１０の接地箇所よりも前方に位置しており、前車輪１０、後車輪１１、ゲージ輪８１の接地により、走行機体が安定して支持されるようになっている。
【００６３】
図２〜図５等に示されるように、ゲージ輪８１には、左右内側（右側）に向けて凸となり、左右外側（左側）が開放された椀形状の椀部８１Ａと、椀部８１Ａの外周部においてゲージ輪８１の周方向に並ぶ複数の凸部９２と、が備えられている。椀部８１Ａの開放面は、第二草刈装置Ｋ２の第二刈刃２２が位置する側とは反対側に位置している。
【００６４】
〔操作部について〕
図４〜図６等に示されるように、操作部材８０に設けられる操作部８２には、操作部材８０の姿勢をロック可能なロック機構９４と、ロック機構９４を操作可能な操作レバー９３と、が備えられている。
【００６５】
ロック機構９４には、操作部材８０と操作レバー９３とに亘って取り付けられる付勢バネ９５と、操作レバー９３の基端部を回動可能に操作部材８０に支持する支点ピン９６と、操作レバー９３に設けられる係合ピン９７と、支持ブラケット８７に縦方向に複数並べて設けられ、係合ピン９７と係合可能な係合溝９８と、が備えられている。操作レバー９３の遊端部は、操作部材８０の上側に位置している。付勢バネ９５は、操作レバー９３の遊端部を操作部材８０から遠ざける方向に、操作レバー９３を付勢している。操作レバー９３の係合ピン９７を、支持ブラケット８７の係合溝９８のいずれかに係合させると、ロック機構９４がロック状態となる。操作レバー９３の係合ピン９７を、支持ブラケット８７の係合溝９８のいずれとも係合しない状態にすると、ロック機構９４が解除状態となる。
【００６６】
図４に示されるように、操作レバー９３の係合ピン９７を、複数の係合溝９８のうち最も下側の係合溝９８に係合させて、ロック機構９４をロック状態にし、操作部材８０を位置固定状態にする。すると、揺動支軸８８に対してゲージ輪８１が相対的に上がった上昇位置で位置固定され、第二草刈装置Ｋ２の刈高さが最低高さＭ１に設定される。
【００６７】
一方、図５に示されるように、操作レバー９３の係合ピン９７を、複数の係合溝９８のうち最も上側の係合溝９８に係合させることにより、ロック機構９４をロック状態にし、操作部材８０を位置固定状態にする。すると、揺動支軸８８に対してゲージ輪８１が相対的に下がった下降位置で位置固定され、第二草刈装置Ｋ２の刈高さが最高高さＭ２に設定される。
【００６８】
特に図示はしないが、操作レバー９３の係合ピン９７を、複数の係合溝９８のうち最も上側の係合溝９８と最も下側の係合溝９８との間に位置する係合溝９８に係合させることにより、ロック機構９４をロック状態にし、操作部材８０を位置固定状態にする。すると、ゲージ輪８１が上昇位置と下降位置との間の位置で位置固定され、第二草刈装置Ｋ２の刈高さが最低高さＭ１と最高高さＭ２との間の高さに設定される。
【００６９】
例えば、図１に示されるように、連結杆７６に操縦者Ｗの腹部付近の箇所を位置させて、操縦者Ｗがやや前かがみとなって手を伸ばして、図６に示されるように、操作レバー９３を操作部材８０ごと握り込んだ握り込み状態Ａ１にすることにより、ロック機構９４を解除状態にして、操作部材８０を揺動可能状態にして、操作部材８０を揺動させて手を離す。すると、操作レバー９３の遊端部が操作部材８０から離れた開放状態Ａ２に自動的に復帰して、ロック機構９４が自動的にロック状態に復帰し、操作部材８０が、図４、図５に示されるように、所定位置で位置固定状態となる。これにより、例えば、第二草刈装置Ｋ２が斜面に位置している場合であっても、操縦者Ｗが第一草刈装置Ｋ１側の第一面の地面に立った状態で、第二草刈装置Ｋ２の刈高さの調節を行うことができる。
【００７０】
〔第一スクレーパについて〕
図２〜図５、図７に示されるように、第一スクレーパ８３は、ゲージ輪８１に連れ回る刈草を掻き落とすように構成されている。第一スクレーパ８３は、棒状の部材となっており、ゲージ輪８１の横側部の近傍に配置されている。具体的には、第一スクレーパ８３は、ゲージ輪８１の凸部９２の近傍に位置している。さらに、第一スクレーパ８３は、操作部材８０の前下部８６の上面に溶接等により取り付け固定されている。第二ハウジング２３等を保護するガード部材２４は、第一スクレーパ８３の後方に近接するように配置されている。
【００７１】
第一スクレーパ８３には、縦向き部９９（「掻き落とし部」に相当）と、縦向き部９９の上端部から後向きに延びる後向き部１００と、が備えられている。第一スクレーパ８３の縦向き部９９は、側面視でゲージ輪８１と重複する箇所からゲージ輪８１と重複しない箇所までゲージ輪８１の回転面に沿って延出されている。後向き部１００は、第一スクレーパ８３の上部に設けられている。後向き部１００は、ゲージ輪８１の後端部の上方箇所まで後向きに延出されている。
【００７２】
このため、第二刈刃２２の第二駆動軸心Ｘ２よりも前方、且つ、横外側に位置するゲージ輪８１に、第二刈刃２２により刈られた刈草が飛び散りやすい。しかし、図４、図５、図７に示されるように、ゲージ輪８１のうち操作部材８０よりも上側で第一スクレーパ８３よりも後側の第一領域Ｌ１に付着した刈草は、ゲージ輪８１の転動により、第一スクレーパ８３で掻き落とされる。そして、第一スクレーパ８３に刈草が蓄積されてくると、第一スクレーパ８３の縦向き部９９から後向き部１００へと刈草が導かれ、ガード部材２４に付着した刈草を巻き込んで、ゲージ輪８１の後方付近の箇所に落下させる。このため、ゲージ輪８１に刈草が付着、及び、ゲージ輪８１による刈草の踏みつけにより、第二草刈装置Ｋ２の刈高さが変更されることを好適に防止できる。
【００７３】
〔第二スクレーパについて〕
図４、図５、図７に示されるように、第二スクレーパ８４は、操作部材８０の前下部８６の一部として備えられている。第二スクレーパ８４は、左右方向において、第一スクレーパ８３よりもゲージ輪８１側に近接している。
【００７４】
第二スクレーパ８４は、ゲージ輪８１の横側部の近傍に配置され、ゲージ輪８１に連れ回る刈草を掻き落とすようになっている。具体的には、第二刈刃２２により跳ね飛ばされた刈草のうち、ゲージ輪８１における操作部材８０よりも下側の第二領域Ｌ２に付着した刈草は、走行に伴うゲージ輪８１の転動により、第二スクレーパ８４に当接して、ゲージ輪８１から掻き落とされるようになっている。
【００７５】
〔第三スクレーパについて〕
図４、図５、図７に示されるように、第三スクレーパ８５は、操作部材８０の前下部８６の側面に溶接等により取り付け固定されている。第三スクレーパ８５は、ゲージ輪８１の椀部８１Ａ内の空間Ｌ３の内側に、ゲージ輪８１の内部の径方向の略全域に亘るように延びている。第三スクレーパ８５は、支持部材９０に近接して配置されている。第三スクレーパ８５は、ゲージ輪８１の椀状の内側に形成される空間Ｌ３内に配置されている。第二スクレーパ８４は、ゲージ輪８１の横側部の近傍に配置され、ゲージ輪８１に連れ回る刈草を掻き落とすようになっている。ゲージ輪８１とともに椀部８１Ａ内の空間Ｌ３内を連れ回る刈草は、走行に伴うゲージ輪８１が転動により、第三スクレーパ８５に当接して掻き落とされ、空間Ｌ３の横外側へ排出されるようになっている。
【００７６】
このような第一スクレーパ８３、第二スクレーパ８４、第三スクレーパ８５により、ゲージ輪８１に付着した刈草を掻き落とすようになっているので、ゲージ輪８１への刈草の付着による第二草刈装置Ｋ２の刈高さの変化が回避されるものとなる。また、例えば、ゲージ輪８１に固定される支持部材９０と回動支軸８９との間に刈草が咬み込んだりすることがなく、走行に伴いゲージ輪８１が円滑に転動するものとなり、走行機体の走行が円滑に行われるものとなる。
【００７７】
〔別実施形態〕
以下、本発明の一例である別実施形態について説明する。下記各別実施形態は、説明している事項以外は、上記実施形態と同様である。上記実施形態と下記各別実施形態とは、矛盾が生じない限り、適宜に組み合わせることができる。なお、本発明の範囲は、これら実施形態の内容に限定されるものではない。
【００７８】
（１）上記実施形態では、縦向き部９９と後向き部１００とが備えられた第一スクレーパ８３が例示されているが、これに限られない。例えば、図８に示されるように、縦向き部１９９と横向き部２００が備えられた第一スクレーパ１８３（「スクレーパ」の一例）であってもよい。第一スクレーパ１８３は、ゲージ輪８１の横側部の近傍に配置されている。第一スクレーパ１８３は、操作部材８０に固定されている。第一スクレーパ１８３の縦向き部１９９は、側面視でゲージ輪８１と重複する箇所からゲージ輪８１と重複しない箇所までゲージ輪８１の回転面に沿って延出されている。第一スクレーパ１８３は、凸部９２の近傍に位置している。第一スクレーパ１８３の横向き部２００は、縦向き部１９９の上端部からゲージ輪８１の上方に至るように延出されている。第一スクレーパ１８３の横向き部２００及び縦向き部１９９は、ゲージ輪８１の凸部９２の近傍に位置している。ゲージ輪８１の外周部の凸部９２等に付着して連れ回る刈草を、走行に伴うゲージ輪８１の転動により、第一スクレーパ１８３の縦向き部１９９で掻き落とすことができる。また、第一スクレーパ１８３の横向き部２００により、ゲージ輪８１の外周部よりも径方向外側に連れ回る刈草を掻き落とすことができる。
【００７９】
（２）上記実施形態では、第一スクレーパ８３（第一スクレーパ１８３）が、操作部材８０に固定されているものが例示されているが、これに限られない。例えば、第一スクレーパ８３（第一スクレーパ１８３）が、第二ハウジング２３等に固定されていてもよい。
【００８０】
（３）上記実施形態では、前車輪１０及び後車輪１１の両方が駆動輪となっているものが例示されているが、これに限られない。例えば、前車輪１０及び後車輪１１のうち一方が駆動輪で、前車輪１０及び後車輪１１のうち一方が従動輪であってもよい。
【００８１】
（４）上記実施形態とは、第二草刈装置Ｋ２が、第一草刈装置Ｋ１の左側方に配置されているものが例示されているが、これに限られない。例えば、第二草刈装置Ｋ２が、第一草刈装置Ｋ１の右側方に配置されていてもよい。つまり、第二草刈装置Ｋ２は、第一草刈装置Ｋ１の横側方に配置されていればよい。
【００８２】
（５）上記実施形態では、第一草刈装置Ｋ１の横側方に、第二草刈装置Ｋ２のみが配置されているものが例示されているが、これに限られない。例えば、第一草刈装置Ｋ１と第二草刈装置Ｋ２以外にも、第一草刈装置Ｋ１を中心として第二草刈装置Ｋ２とは左右反対側に配置され、第二草刈装置Ｋ２とは左右逆の構造の第三草刈装置が第一草刈装置Ｋ１に連結して備えられていてもよい。
【産業上の利用可能性】
【００８３】
本発明は、第一草刈装置と、第一草刈装置の横側方に配置され、第一草刈装置の前後向きの前後軸心周りに揺動可能な第二草刈装置と、が備えられている歩行型草刈機に利用できる。
【符号の説明】
【００８４】
２２            ：第二刈刃（刈刃）
２３            ：第二ハウジング（ハウジング）
２４            ：ガード部材
８０            ：操作部材
８１            ：ゲージ輪
８２            ：操作部
８３，１８３    ：第一スクレーパ（スクレーパ）
８４            ：第二スクレーパ（スクレーパ）
８５            ：第三スクレーパ（スクレーパ）
９２            ：凸部
９９            ：縦向き部（掻き落とし部）
１００          ：後向き部
Ｋ１            ：第一草刈装置
Ｋ２            ：第二草刈装置
Ｔ２            ：第二回転軌跡
Ｑ３            ：支持軸心
Ｑ４            ：回動軸心
【図１】
0006523943.tif 000002
【図２】
0006523943.tif 000003
【図３】
0006523943.tif 000004
【図４】
0006523943.tif 000005
【図５】
0006523943.tif 000006
【図６】
0006523943.tif 000007
【図７】
0006523943.tif 000008
【図８】
0006523943.tif 000009